(57)【特許請求の範囲】
【請求項１】
上下枠と左右の縦枠を備えた枠体の下枠にレールを備えていて、該レールによって案内される障子を枠体内に納めた建具において、
前記レールの屋内側または屋外側で前記下枠に取り付けられていて該レールの高さに近接する高さに設定された受け部と、
前記障子の下框に形成され、該下框と前記レールとの間を閉塞するシール部材または該下框から前記下枠方向に延びるアタッチメントを選択的に取り付け可能な係合受け部と、を備え、
前記障子の下框の前記係合受け部に取り付けられた前記アタッチメントと、
前記アタッチメントに取り付けられ前記レールに当接する第一シール部材と、
を備えたことを特徴とする建具。
【請求項２】
前記アタッチメントの長手方向端部には前記レールに当接する別の第二シール部材を装着した請求項１に記載された建具。
【請求項３】
前記障子の下框をレールの上方に位置させると共に、前記下框の下方に戸車を突出させて前記レールに取り付けた請求項１または２に記載された建具。
【発明の詳細な説明】
【技術分野】
【０００１】
本発明は、障子を収納した枠体の下枠にレールを突出させて障子を案内する建具に関する。
【背景技術】
【０００２】
従来、住宅等の引き違い窓や引き違い引き戸等の引き違い障子において、上下枠と左右の縦枠で四角形枠状に形成した枠体の下枠と上枠に複数本のレールを突出させ、複数の障子を枠体内に収納してレールで案内させて障子を開閉操作するものが知られている。このような引き違い障子では、下枠にレールと床面への取り付け枠等によって段差が形成されていた。そのため、車椅子で移動する際にキャスターが下枠のレール間や段差に落ち込むことがある等の障害があった。
このような下枠の段差を埋めてフルフラットな引き違い障子に改装して障害にならないことが要求されている。特に住宅を入手した後、数年から十数年が経過して住人が老化したり障害を得たりすると段差のある一般的な引き違い障子からバリアフリーの引き違い障子に改修することが望まれている。
【０００３】
そのため、下枠に段差のある一般的な引き違い障子からフルフラットな引き違い障子に改修する技術が提案されている。例えば、特許文献１に記載された引き違い障子では、段差のある一般的な引き違い障子の下枠に設けた２本または３本のレールの対向側面に突条を設け、隣り合うレールの間に障子の召し合わせ部に対応して気密ピースを配置している。また、気密ピースを挟んでその両側に、水平レベルの高さがレールと略同じレール部を備えたレール間アタッチメントを突条に着脱可能に取り付けている。
しかも、障子についても下框の下部の見込み寸法（厚み寸法）を上部より小さくすると共に、各障子の煙返しの下端を切り欠くことによって隣り合う障子間にレール間アタッチメントのレール部と干渉しない空間部を形成している。
【先行技術文献】
【特許文献】
【０００４】
【特許文献１】特開２００９−２９３３５５号公報
【発明の概要】
【発明が解決しようとする課題】
【０００５】
しかしながら、特許文献１記載の引き違い障子では、一般的な引き違い障子をバリアフリーの障子にするために、下枠のレールに突条を設けると共に、気密ピースとレール間アタッチメントを下枠に取り付ける必要があり、部品点数が多く煩雑であった。しかも、障子も下框の下部の見込み寸法を小さくすると共に煙返しの下端を切り欠く等、一般的な引き違い用の障子と異なる専用の障子を取り付ける必要があった。
そのため、一般的な引き違い障子をバリアフリーの引き違い障子に改装することは交換部品が多く費用と手間がかかるという欠点があった。
また、一般的な引き違い障子とフルフラット用の引き違い障子を兼用できない理由として、下枠と障子の気密水密性能を確保できない、一般障子の戸車位置に合わせてフルフラットの障子に補修すると下枠がフラット対応にならない等という問題があった。
【０００６】
本発明は、このような問題点に鑑みてなされたものであって、専用の下枠や障子を用いることなく少ない交換部品によって、段差のある下枠を有する障子とバリアフリーの下枠を有する障子との間で容易且つ低廉に改装できるようにした建具を提供することを目的とする。
【課題を解決するための手段】
【０００７】
本発明による建具は、上下枠と左右の縦枠を備えた枠体の下枠にレールを備えていて、該レールによって案内される障子を枠体内に納めた建具において、前記レールの屋内側または屋外側で前記下枠に取り付けられていて該レールの高さに近接する高さに設定された受け部と、前記障子の下框に形成され、該下框と前記レールとの間を閉塞するシール部材または該下框から前記下枠方向に延びるアタッチメントを選択的に取り付け可能な係合受け部と、を備え、前記障子の下框の前記係合受け部に取り付けられた前記アタッチメントと、前記アタッチメントに取り付けられ前記レールに当接する第一シール部材と、を備えたことを特徴とする。
本発明によれば、下枠に段差を有する一般的な建具をバリアフリーのフルフラットな建具として用いる場合、レールの屋内側または屋外側で下枠に受け部を取り付けて下枠のレールと受け部をほぼフラットに形成し、障子の下框にアタッチメントを取り付けて第一シール部材をレールに当接させることで障子と下枠との間を気密及び水密に確保できる。
【０００８】
また、アタッチメントの長手方向端部にはレールに当接する別の第二シール部材を装着してもよい。
アタッチメントの長手方向端部に別の第二シール部材を装着することで、レールとの間を気密及び水密に確保できる。
【０００９】
また、本発明による建具は、障子の下框をレールの上方に位置させると共に、前記下框の下方に戸車を突出させて前記レールに取り付けるようにしてもよい。
一般的な建具をバリアフリーの建具に改装する場合には、障子の下框をレールの上方に位置させることで下枠の段差部にレールに近接した高さの受け部を装着してレールと段差部とをほぼフラットにして段差をなくすと共に、戸車部材の戸車を例えば調整ねじの操作等によって下框の下方に突出させることでレールに取り付けることができ、障子が走行可能である。
【発明の効果】
【００１０】
本発明による建具は、レールの屋内側または屋外側で下枠にレールの高さに近接する高さの受け部を取り付け、障子の下框に取り付けたアタッチメントの第一シール部材をレールに当接させたことで、下枠にレールとの間に段差部を設けた一般的な建具に受け部を取り付けて下枠をほぼフラットなバリアフリーの建具に改装することができる。しかも、下框に取り付けたアタッチメントの第一シール部材でレールとの間を気密・水密に設定できる。
また、下枠に受け部を取り付け、障子の下框にアタッチメントを取り付けると共に、一般的な建具における障子を用いて、一般的な建具からバリアフリーの建具に改装できる。また、逆にバリアフリーの建具から一般的な建具に改装することもできる。
【図面の簡単な説明】
【００１１】
【図１】本発明の実施形態によるバリアフリーの引き違い障子を屋外側から見た要部正面図である。
【図２】図１に示す引き違い障子における障子の下框と枠体の下枠部分との要部縦断面図である。
【図３】図２に示す障子の下框と戸車部材の拡大断面図である。
【図４】図２に示す障子の下框に設けたアタッチメントの端部とシール部材との嵌合構造を示す要部水平断面図である。
【図５】実施形態における一般的な引き違い障子を屋外側から見た要部正面図である。
【図６】図５に示す一般的な引き違い障子における障子の下框と枠体の下枠部分との要部縦断面図である。
【図７】図６に示す障子の下框と戸車部材の拡大断面図である。
【発明を実施するための形態】
【００１２】
以下、本発明の実施形態による建具としての引き違い障子１について図１乃至図７を参照しながら説明する。本実施形態による引き違い障子１は、図５から図７に示す下枠１１に段差のある引き違い障子１（以下、これを一般的な引き違い障子１Ａという）から下枠１１がほぼフラットな引き違い障子１(以下、これをバリアフリーの引き違い障子１Ｂという)に改装でき、また、これとは逆にバリアフリーの引き違い障子１Ｂから一般的な引き違い障子１Ａに改装できるようにしたものである。
【００１３】
図１は実施形態によるバリアフリーの引き違い障子１Ｂを示すものであり、上枠１０ａ、下枠１１と左右の縦枠１０ｂによって四角形枠状に形成された枠体１０内に納めた、引き違いによって開閉可能な外障子２と内障子３を示すものである。外障子２と内障子３は例えば引き戸または引き違い窓であり、それぞれ上框５及び下框６と左右の縦框７とが四角形枠状に形成され、内部に１または複数枚、例えばペアガラスからなるガラスパネル８が嵌め込まれている。
そして、下框６の下側にアタッチメント３５が取り付けられ、その両端には縦框７の下端に当接するシール部材（第二シール部材）３８が取り付けられている。
【００１４】
図２に示す引き違い障子１Ｂにおいて、枠体１０の下枠１１は屋内側の床面１２に面一に取り付けられた基部１３から屋外側に向けて下側に凹んだ第一段差部１４と第二段差部１５とが設けられている。第一段差部１４の屋外側には基部１３とほぼ同一高さの第一レール１７が一体形成され、第二段差部１５の屋外側には第一レール１７とほぼ同じ高さの第二レール１８が一体形成されている。
そして、第二レール１８の更に屋外側には第二段差部１５よりも更に下方に下がった第三段差部１９と網戸用レール２０とが設けられている。第一レール１７、第二レール１８、網戸用レール２０は互いに平行に配列され、網戸用レール２０は第一及び第二レール１７，１８より下側に位置している。
【００１５】
そして、下枠１１における第一段差部１４には第一レール１７より若干高さの低い第一受け部２２が取り付けられている。第一受け部２２の左右両方の端部には、第一レール１７の頭部下のくびれ部１７ａと基部１３の突起部１３ａとにそれぞれ係合する係止部２２ａ、２２ｂが設けられている。
また、第二段差部１５には第二レール１８より若干高さの低い第二受け部２３が取り付けられている。第二受け部２３の左右両方の端部には、第二レール１８の頭部下のくびれ部１８ａと第二段差部１５の係合片部１５ａとにそれぞれ係合する係止部２３ａ、２３ｂが設けられている。これによって第一及び第二レール１７，１８と第一及び第二受け部２２、２３はほぼ同一高さに設定されている。
【００１６】
また、外障子２及び内障子３の下框６の下端部は、それぞれ下枠１１の基部１３及び床面１２とほぼ同一高さになるように設定されている。そして、図３において、外障子２及び内障子３の下框６内には、その内部に突出する複数のアーム部６ａによって戸車部材２５がそれぞれ固定されている。各戸車部材２５は筐体２６と筐体２６内に収納されていて下部に一部が突出した戸車２７とを備え、戸車２７は第一レール１７、第二レール１８の頭部にそれぞれ載置されて各障子２，３を案内走行可能としている。
しかも、戸車部材２５は筐体２６の外部に設けた調整ねじ２８を正逆回転させることで従来公知の手段によって筐体２６に対して戸車２７を上下方向に進退可能とし、バリアフリーの引き違い障子１Ｂでは一般的な引き違い障子１Ａの位置よりも下方に突出した位置に支持されている。
【００１７】
また、図２に示す網戸用レール２０には、網戸用レール２０と第三段差部１９の上に設置されていて第一レール１７及び第二レール１８と同一高さの補助網戸レール３０と平坦部３１ａを設けた第三受け部３１が固定ねじ３２で固定されている。これによって補助網戸レール３０と平坦部３１ａは第一及び第二レール１７，１８、第一及び第二受け部２２、２３とほぼ同一高さに設定されている。そして補助網戸レール３０には網戸３３の戸車３３ａが設置されている。
【００１８】
また、図２及び図３に示す外障子２及び内障子３の各下框６において、下框６内の屋外側壁部６ｂの下端部に係合受け部３４が形成されており、この係合受け部３４には下枠１１方向に延びるアタッチメント３５が嵌合されている。このアタッチメント３５は、係合受け部３４に係合可能な上端の係合片３５ａと下端に設けられていて弾性体からなるパッキン（第一シール部材）３６をシール部材として取り付ける係合部３５ｂとが設けられている。しかも、アタッチメント３５とパッキン３６は下框６の長手方向にほぼ同一長さに亘って延びている。
係合部３５ｂは例えば断面コの字状に形成されていてパッキン３６の一端を係合させると共に他端を第一レール１７または第二レール１８に当接させていて、下框６と下枠１１の第一または第二レール１７，１８との間における屋外と屋内との間の気密性と水密性を確保している。
【００１９】
そして、内障子３の下框６に設けたアタッチメント３５は第二受け部２３と第一レール１７との間に配設され、戸車２７の下側で係合部３５ｂに固定したパッキン３６が戸車２７の一部に重なる位置に突出して第一レール１７に当接している。
また、外障子２に設けたアタッチメント３５は第二レール１８と第三受け部３１の平坦部３１ａとの間に配設され、戸車２７の下側で係合部３５ｂに固定したパッキン３６が戸車２７の一部に重なる位置に突出して第二レール１８に当接している。
【００２０】
また、図１及び図４において、アタッチメント３５は下框６の両端まで延びており、両端部における係合部３５ｂにはパッキン３６は設けられておらず、シール部材３８の嵌合部３８ａが係合部３５ｂに嵌合している。しかも、シール部材３８の本体３８ｂは左右の縦框７と同一幅で縦框７の下端に当接して縦框７の一部を構成している。この状態で、シール部材３８の本体３８ｂは第一レール１７、第二レール１８に摺動可能に当接している。そのため、シール部材３８は第一及び第二レール１７，１８との間で気密・水密性を発揮する。
【００２１】
しかも、外障子２及び内障子３において、上框５にもそれぞれ同様な構成の戸車部材２５が設けられて上側の図示しない第一レール、第二レールに嵌合されている。そして、バリアフリーの引き違い障子１Ｂの状態において、外障子２及び内障子３は一般的な引き違い障子１Ａの場合と比較して若干上枠１０ａ側に持ち上げて設置されている。
【００２２】
次に、本実施形態における一般的な引き違い障子１Ａについて図５から図７に基づいて説明するが、上述したバリアフリーの引き違い障子１Ｂとの相違点のみ説明する。本実施形態による一般的な引き違い障子１Ａでは、図５及び図６に示すように外障子２と内障子３の各下框６からシール部材３８と共にアタッチメント３５が除去されている。そして、下框６の係合受け部３４に直接パッキン（シール部材）３６が係合されている。また、下枠１１において第一受け部２２、第二受け部２３、そして第三受け部３１が除去されている。
【００２３】
そして、図６及び図７に示すように、外障子２と内障子３の下框６にそれぞれ設けた戸車部材２５は調整ねじ２８の操作によって戸車２７が下框６内に引込められている。しかも、図５及び図６において、外障子２と内障子３は各下框６が下枠１１の基部１３の下方に延びて第一段差部１４及び第二段差部１５内に位置している。
【００２４】
そのため、図１に示すバリアフリーの引き違い障子１Ｂでは、外障子２と内障子３は枠体１０内で下框６の下端が床面１２及び基部１３の高さとほぼ同一の上枠１０ａ側位置に保持され、下框１１の戸車２７を下框１１より下方に突出させ、上框５の戸車２７を上框５内に引っ込ませて、下側の第一及び第二レール１７，１８と上側の第一及び第二レール(図示せず)にそれぞれ支持されている。そのため、下框６の下方にアタッチメント３５が係合され、その両端部には縦框７の下端に当接するシール部材３８が連結されて、下枠１１に設置されている。
また、図５に示す一般的な引き違い障子１Ａでは、外障子２と内障子３は枠体１０内で下框６の下端が下枠１１の第一段差部１４と第二段差部１５内に保持され、下框１１の戸車２７を下框１１内に引っ込ませ、上框５の戸車２７を上框５から突出させて、下側の第一及び第二レール１７，１８と上側の第一及び第二レールにそれぞれ支持されている。そのため、下框６にアタッチメント３５とシール部材３８は設けられていない。
なお、網戸３３はレール溝を深く形成することで、第三受け部３１の有無による高さの変化に対応させることができる。
【００２５】
本実施形態による引き違い障子１は上述の構成を備えており、次に一般的な引き違い障子１Ａを設置した状態からバリアフリーの引き違い障子１Ｂに改装する方法について説明する。
まず、図５及び図６に示す一般引き違い障子１Ａにおいて、下枠１１において基部１３、第一及び第二レール１７，１８と第一及び第二段差部１４，１５とで段差が設定されている。第三段差部１９と網戸用レール２０は更に下方に下がって設置されている。
【００２６】
この状態から、外障子２と内障子３を枠体１０から取り外す。そして、外障子２及び内障子３の各下框６に設けた戸車部材２５において、調整ねじ２８を操作することで、図３に示すように戸車２７を下框６の下側に突出させる。また網戸３３も取り外しておく。
更に外障子２及び内障子３における各下框６の係合受け部３４にアタッチメント３５を取り付け、アタッチメント３５の係合部３５ｂにパッキン３６を嵌合させる。更にアタッチメント３５の係合部３５ｂの両端にシール部材３８の嵌合部３８ａを嵌合する。
【００２７】
そして、図２に示すように、下枠１１の第一段差部１４と第二段差部１５にそれぞれ第一受け部２２と第二受け部２３を装着する。装着に際し、第一段差部１４における第一レール１７の頭部下のくびれ部１７ａと基部１３の突起部１３ａとに、第一受け部２２の両端に設けた係止部２２ａ、２２ｂを係合させる。同様に、第二段差部１５における第二レール１８の頭部下のくびれ部１８ａと第二段差部１５の係合片部１５ａとに、第二受け部２３の両端に設けた係止部２３ａ、２３ｂを係合させる。
また、網戸用レール２０の上に第三受け部３１を取り付けて固定ねじ３２で網戸用レール２０に固定させる。
【００２８】
そして、内障子３と外障子２を枠体に取り付けて下枠１１の第一レール１７、第二レール１８に各下框６に設けた戸車２７を設置する。更に第三受け部３１の補助網戸レール３０に網戸３３を装着する。
これによって、図２に示す下枠１１において、第一レール１７及び第二レール１８と第一受け部２２、第二受け部２３、第三受け部３１とがほぼフラットになり、バリアフリー状態になる。そのため、老人や障害者や車椅子等がバリアフリーの引き違い障子１Ｂの下枠１１上を移動可能であり、下枠１１の第一及び第二レール１７，１８や第一及び第二段差部１４，１５につまずいたり落ち込んだりすることがない。
【００２９】
上述のように本実施形態による引き違い障子１によれば、第一及び第二段差部１４，１５を有する一般的な引き違い障子１Ａを、枠体１０の下枠１１や外障子２及び内障子３を異なるものに交換することなくバリアフリーの引き違い障子１Ｂに改装することができる。
しかも、改装に際して第一から第三受け部１４，１５、３１やアタッチメント３５及びシール部材３８を下枠１１や外障子２及び内障子３に装着し、外障子２及び内障子３についても下框６に設けた各戸車２７の突出量を調整するだけで改装可能である。更にアタッチメント３５とパッキン３６によって上側に持ち上げた外障子２及び内障子３と下枠１１との間の気密性と液密性を確保できる。
従って、本実施形態による引き違い障子１は、改装が容易である上に改装に要する部品点数が少なく改装コストを低廉にすることができる。
【００３０】
なお、本発明による引き違い障子１は、上述した実施形態に限定されるものではなく、本発明の要旨を逸脱しない範囲で適宜の変更や置換等が可能である。以下に、本発明の変形例について説明するが、上述した実施形態と同一または同様な部材、部品等には同一の符号を用いて説明を省略する。
【００３１】
例えば、上述した実施形態では、一般的な引き違い障子１Ａを基準としてバリアフリーの引き違い障子１Ｂに改装する場合について説明した。しかしながら、本発明ではバリアフリーの引き違い障子１Ｂを基準にしてこれを一般的な引き違い障子１Ａに改装することもできる。
この場合、第一、第二及び第三受け部２２，２３、３１を取り除き、外障子２及び内障子３の下框６における戸車２７の突出量を調整すると共に、アタッチメント３５とシール部材３８を各障子２，３から取り除くようにすればよい。そして、外障子２及び内障子３の各下框６が図６に示すように第一段差部１４及び第二段差部１５側に落ち込んだ配置にすればよい。
【００３２】
また、上述した実施形態では下枠１１の第一段差部１４及び第二段差部１５において屋外側に第一及び第二レール１７，１８をそれぞれ設置し、第一及び第二レール１７，１８の屋内側に第一受け部２２、第二受け部２３を設けたが、これに代えて第一段差部１４及び第二段差部１５において屋内側にレール１７，１８をそれぞれ設置し、各レール１７，１８の屋外側に第一受け部２２、第二受け部２３を設けるように構成してもよい。
なお、網戸３３と網戸用レール２０、そして第三受け部３１等は必ずしも設けなくてもよい。
【００３３】
また、上述した実施形態では２枚の外障子２及び内障子３からなる引き違い引き戸や引き違い窓等の引き違い障子１について説明したが、本発明はこのような実施形態に限定されるものではなく、例えば３枚以上の引き違い障子でもよい。或いは、１枚の引き戸や窓等の障子が下枠１１に段差部を設けた上下枠のレール上を移動可能な構成を採用してもよい。
なお、障子が３枚以上の場合には、下枠１１に設けたレールや段差部も３つ以上であり、受け部も３つ以上設置されていてよい。また、障子が１枚の場合には下枠１１に設けたレールの段差部に取り付ける受け部も１つでよい。これらは全て本発明の建具に含まれる。
【００３４】
また、上述の実施形態では、アタッチメント３５にレール１７，１８に当接するパッキン３６を取り付けたが、これとは逆にレール１７，１８にアタッチメント３５に当接するパッキン３６を設けてもよい。
なお、上述した実施形態において、一般的な引き違い障子１Ａにおいて、外障子２と内障子３の各上框５にパッキン３６を取り付けたアタッチメント３５とシール部材３８を設けて上枠１０ａと上框５との間に気密性と水密性を確保してもよい。
また、本発明による建具は上述した引き違い障子１、１Ａ、１Ｂに限定されることなく、レールや段差を備えた構造のものであればよい。
【符号の説明】
【００３５】
１、  １Ａ、１Ｂ  引き違い障子
２  外障子
３  内障子
６  下框
１０  枠体
１１  下枠
１４  第一段差部
１５  第二段差部
１７  第一レール
１８  第二レール
２２  第一受け部
２３  第二受け部
２５  戸車部材
２７  戸車
３４  係合受け部
３５  アタッチメント
３６  パッキン（シール部材、第一シール部材）
３８  シール部材（第二シール部材）
【図１】
0006431379.tif 000002
【図２】
0006431379.tif 000003
【図３】
0006431379.tif 000004
【図４】
0006431379.tif 000005
【図５】
0006431379.tif 000006
【図６】
0006431379.tif 000007
【図７】
0006431379.tif 000008